【手続補正書】
【提出日】平成20年12月10日(2008.12.10)
【手続補正１】
【補正対象書類名】特許請求の範囲
【補正対象項目名】全文
【補正方法】変更
【補正の内容】
【特許請求の範囲】
【請求項１】
監督者の制御機器が無線通信機器を監督者制御する方法であって、
前記無線通信機器が、前記監督者の制御機器から前記無線通信機器への命令を含む第１のＳＭＳメッセージを前記監督者の制御機器から受信するステップと、
前記無線機器が、前記監督者の制御機器によって命令されたタスクを決定するために、前記監督者の制御機器からの第１のＳＭＳメッセージ中の命令を検査するステップと、
前記無線機器が有する通信の実体識別子のリストに通信の実体識別子を追加するタスクを決定するステップと、
前記監督者の制御機器からの前記第１のＳＭＳメッセージ中の命令に応じて、無線通信機器が前記第１のＳＭＳメッセージから通信の実体識別子を取り出すステップと、
前記監督者の制御機器からの前記第１のＳＭＳメッセージ中の命令に応じて、前記無線機器が有する電話番号のリストの中に、前記通信の実体識別子を補完するステップと、
を含む監督者制御方法。
【請求項２】
前記通信の実体識別子は入り通信ソースの識別子である、請求項１に記載の監督者制御方法。
【請求項３】
前記入り通信ソースの識別子は、電話番号、ＳＭＳアドレス、電子メールアドレス、もしくは、アプリケーションである、請求項２に記載の監督者制御方法。
【請求項４】
前記入り通信ソースの識別子は、電話番号であり、
前記通信の実体識別子のリストは、許可着信番号のリストである、請求項２に記載の監督者制御方法。
【請求項５】
前記入り通信ソースの識別子は、電話番号であり、
前記通信の実体識別子のリストは、不許可着信番号のリストである、請求項２に記載の監督者制御方法。
【請求項６】
前記通信の実体識別子は、出通信ソースの識別子である、請求項１に記載の監督者制御方法。
【請求項７】
前記出通信ソースの識別子は、電話番号、ＳＭＳアドレス、もしくは、電子メールアドレスである、請求項６に記載の監督者制御方法。
【請求項８】
前記出通信ソースの識別子は、電話番号であり、
前記通信の実体識別子のリストは、許可発信番号のリストである、請求項６に記載の監督者制御方法。
【請求項９】
前記出通信ソースの識別子は、電話番号であり、
前記通信の実体識別子のリストは、非許可発信番号のリストである、請求項６に記載の監督者制御方法。
【請求項１０】
前記命令は、前記通信の実体識別子に関連付けられた制限情報をさらに含み、
前記方法は、
前記監督者の制御機器からの前記第１のＳＭＳメッセージ中の命令に応じて、無線通信機器が、前記管理者の制御機器からの前記第１のＳＭＳメッセージから前記制限情報を取り出すステップと、
前記管理者の制御機器からの前記第１のＳＭＳメッセージ中の命令に応じて、前記無線通信機器の中に前記制限情報を保存するステップと、
をさらに含む、請求項１に記載の監督者制御方法。
【請求項１１】
前記制限情報は時間に関する制限である、請求項１０に記載の監督者制御方法。
【請求項１２】
前記無線通信機器が、入り通信の識別子を含んだ入り通信の要求を入り通信ソースから受信するステップと、
通信の実体識別子のリスト中の前記通信の実体識別子と、前記入り通信の識別子とを比較するステップと、
前記入り通信の識別子が前記通信の実体識別子と適合するかを決定するステップと、
前記入り通信の識別子が前記通信の実体識別子と適合するかの決定に応じて、前記入り通信ソースから前記入り通信の要求を拒絶するステップと、
を含む、請求項１に記載の監督者制御方法。
【請求項１３】
出通信の識別子を含んだ出通信の要求を前記無線通信機器から受信するステップと、
通信の実体識別子のリスト中の前記通信の実体識別子と、前記出通信の識別子とを比較するステップと、
前記出通信の識別子が前記通信の実体識別子と適合するかを決定するステップと、
前記出通信の識別子が前記通信の実体識別子と適合するかの決定に応じて、前記出通信ソースから前記出通信の要求を拒絶するステップと、
を含む、請求項１に記載の監督者制御方法。
【請求項１４】
監督者の制御機器が無線通信機器を監督者制御する方法であって、
前記無線通信機器が、前記監督者の制御機器から前記無線通信機器への命令を含んだ第１のＳＭＳメッセージを、前記監督者の制御機器から受信するステップと、
前記監督者の制御機器によって指示されたタスクを決定するために、前記監督者の制御機器からの前記第１のＳＭＳメッセージ中の命令を検査するステップと、
前記無線通信機器から前記監督者の制御装置へ情報を供給するタスクを決定するステップと、
前記無線通信機器が、前記監督者の制御機器からの前記第１のＳＭＳメッセージ中の命令に応じて、前記無線通信機器の中に保存されている前記情報へアクセスするステップと、
前記無線通信機器が、前記監督者の制御機器からの前記第１のＳＭＳメッセージ中の命令に応じて、前記無線通信機器の中に保存されている前記情報を取り出すステップと、
前記無線通信機器が、前記情報を含んだ第２のＳＭＳメッセージを生成するステップと、
前記無線通信機器が、前記監督者の制御機器へ前記第２のＳＭＳメッセージを転送するステップと、
を含む監督者制御方法。
【請求項１５】
前記情報は前記無線通信機器の履歴ログを含む、請求項１４に記載の監督者制御方法。
【請求項１６】
前記履歴ログは、前記無線通信機器が受信した許可通話のリストを含む、請求項１５に記載の監督者制御方法。
【請求項１７】
前記履歴ログは、前記無線通信機器が受信することを制限された非許可通話のリストを含む、請求項１５に記載の監督者制御方法。
【請求項１８】
前記履歴ログは、前記無線通信機器が発信した許可通話のリストを含む、請求項１５に記載の監督者制御方法。
【請求項１９】
前記履歴ログは、前記無線通信機器が発信することを制限された非許可通話のリストを含む、請求項１５に記載の監督者制御方法。
【請求項２０】
前記履歴ログは、前記無線通信機器が起動することを制限された非許可アプリケーションのリストを含む、請求項１５に記載の監督者制御方法。
【請求項２１】
前記履歴ログは、前記無線通信機器が受信することを制限された非許可電子メールのリストを含む、請求項１５に記載の監督者制御方法。
【請求項２２】
前記履歴ログは、前記無線通信機器が受信することを制限された非許可ＳＭＳメッセージのリストを含む、請求項１５に記載の監督者制御方法。
【請求項２３】
監督者の制御機器が無線通信機器を監督者制御する方法であって、
前記監督者の制御機器が、前記無線通信機器から前記監督者の制御機器への要求を含んだ第１のメッセージを前記無線通信機器から受信するステップと、
前記監督者の制御機器が、前記監督者の制御機器によって要求されたタスクを決定するために、前記無線通信機器からの前記第１のメッセージを検査するステップと、
前記無線通信機器の中の許可通信の実体識別子のリストに通信の実体識別子を追加するかのタスクを決定するステップと、
前記監督者の制御機器が、前記無線通信機器からの第１のメッセージ中の前記要求におうじて、前記無線機器からの第１のメッセージから前記通信の実体識別子を取り出すステップと、
前記監督者の制御機器が、前記要求に対する応答を含んだ第２のメッセージを生成するステップと、
前記監督者の制御機器が、前記応答を含んだ前記第２のメッセージを前記無線通信機器へ転送するステップと、
を含む監督者制御方法。
【請求項２４】
前記応答は、前記無線通信機器中の許可通信の実体識別子のリストに、前記通信の実体識別子を追加することの承認である、請求項２３に記載の監督者制御方法。
【請求項２５】
前記応答は、前記通信の実体識別子に関連付けられた制限情報をさらに含む、請求項２４に記載の監督者制御方法。
【請求項２６】
前記応答は時間に関する制限である、請求項２５に記載の監督者制御方法。
【請求項２７】
前記応答は、前記無線通信機器中の許可通信の実体識別子のリストに、前記通信の実体識別子を追加することの棄却である、請求項２３に記載の監督者制御方法。
【請求項２８】
前記第１のメッセージはＳＭＳメッセージである、請求項２３に記載の監督者制御方法。
【請求項２９】
前記第２のメッセージはＳＭＳメッセージである、請求項２３に記載の監督者制御方法。
【請求項３０】
監督者の制御機器が無線通信機器を監督者制御する方法であって、
前記無線通信機器が、入り通信の識別子を含んだ入り通信の要求を入り通信ソースから受信するステップと、
前記入り通信の識別子を通信の実体識別子のリスト中の前記通信の実体識別子と比較するステップと、
前記入り通信の識別子が前記通信の実体識別子と適合するかを決定するステップと、
前記入り通信の識別子が前記通信の実体識別子と適合するかの決定に応じて、前記入り通信ソースからの前記入り通信の要求を拒絶するステップと、
前記入り通信の識別子が前記通信の実体識別子と適合するかの決定に応じて、前記入り通信ソースからの前記入り通信の要求を前記監督者の制御機器へ転送するステップと、
を含む監督者制御方法。
【請求項３１】
前記通信の実体識別子は電話番号である、請求項３０に記載の監督者制御方法。
【請求項３２】
前記通信の実体識別子はＳＭＳアドレスである、請求項３０に記載の監督者制御方法。
【請求項３３】
前記通信の実体識別子は電子メールアドレスである、請求項３０に記載の監督者制御方法。
【請求項３４】
監督者の制御機器が無線通信機器を監督者制御する方法であって、
前記無線通信機器が、前記監督者の制御機器から前記無線通信機器への命令を含んだ第１のＳＭＳメッセージを、前記監督者の制御機器から受信するステップと、
前記無線通信機器が、前記監督者の制御機器によって命令されたタスクを決定するために、前記監督者の制御機器からの前記第１のＳＭＳメッセージ中の前記命令を検査するステップと、
前記無線通信機器中のリマインダのリストに、リマインダを追加するタスクを決定するステップ、
前記無線通信機器が、前記監督者の制御機器からの前記第１のＳＭＳメッセージ中の前記命令に応じて、前記監督者の制御機器からの前記第１のＳＭＳメッセージから前記リマインダを取り出すステップと、
前記監督者の制御機器からの前記第１のＳＭＳメッセージ中の前記命令に応じて、前記無線通信機器中の電話番号のリストにリマインダを保存するステップと、
を含む監督者制御方法。
【請求項３５】
前記リマインダの時間に、アプリケーションを起動するステップをさらに含む、請求項３４に記載の監督者制御方法。
【請求項３６】
前記リマインダの時間に、リマインダのメッセージを表示するステップをさらに含む、請求項３４に記載の監督者制御方法。
【請求項３７】
無線通信機器を監督するための監督者の制御機器であって、
入り通信の識別子を含んだ入り通信の要求を入り通信ソースから前記無線通信機器によって受信されるようにし、
通信の実体識別子のリスト中の通信の実体識別子と前記入り通信の識別子を比較し、
前記入り通信の識別子が前記通信の実体識別子と適合するかの決定をし、
前記入り通信の識別子が前記通信の実体識別子と適合するかの決定に応じて、前記入り通信ソースからの前記入り通信の要求を拒絶し、
前記入り通信の識別子が前記通信の実体識別子と適合するかの決定に応じて、前記入り通信ソースからの前記入り通信の要求を前記監督者の制御機器に転送する、
ことを前記管理者の制御装置が可能にするソフトウェアを備える監督者制御機器。
【請求項３８】
無線通信機器を監督するための監督者の制御機器であって、
前記監督者の制御機器から前記無線通信機器への命令を含む第１のＳＭＳメッセージを、前記管理者の制御機器から前記無線通信機器が受信するようにし、
前記監督者の制御機器によって命令されたタスクを決定するために、前記無線通信機器が前記管理者の制御機器からの前記第１のＳＭＳメッセージ中の前記命令を検査するようにし、
前記無権通信機器から前記監督者の制御機器へ情報を提供するタスクを決定し、
前記監督者の制御機器からの前記第１のＳＭＳメッセージ中の前記命令に応じて、前記無線通信機器が前記無線通信機器中に保存される前記情報にアクセスするようにし、
前記監督者の制御機器からの前記第１のＳＭＳメッセージ中の前記命令に応じて、前記無線通信機器が前記無線通信機器中に保存される前記情報を取り出すようにし、
前記情報を含む第２のＳＭＳメッセージを前記無線通信機器が生成するようにし、
前記情報を含む第２のＳＭＳメッセージを前記無線通信機器が前記監督者の制御機器へ転送するようにする、
ことを前記管理者の制御装置が可能にするソフトウェアを備える監督者制御機器。
【請求項３９】
無線通信機器を監督するための監督者の制御機器であって、
前記無線通信機器から前記監督者の制御機器への要求を含んだ第１のメッセージを、前記無線通信機器から受信し、
前記監督者の制御機器によって要求されたタスクを決定するために、前記無線通信機器からの前記第１のメッセージ中の要求を検査し、
前記無線通信機器中の許可通信の実体識別子のリストに通信の実体識別子を追加するタスクを決定し、
前記無線通信機器からの前記第１のメッセージ中の前記要求に応じて、前記無線通信機器からの前記第１のメッセージから前記通信の実体識別子を取り出し、
前記要求に対する応答を含む第２のメッセージを生成し、
前記応答を含む前記第２のメッセージを前記無線通信機器へ転送する、
ことを前記管理者の制御装置が可能にするソフトウェアを備える監督者制御機器。